【手続補正書】
【提出日】平成25年10月23日(2013.10.23)
【手続補正１】
【補正対象書類名】明細書
【補正対象項目名】００２２
【補正方法】変更
【補正の内容】
【００２２】
次に、本発明の実施の形態を実施例に基づいて説明する。
【手続補正２】
【補正対象書類名】明細書
【補正対象項目名】００２６
【補正方法】変更
【補正の内容】
【００２６】
リングプロトコルでは、マスタノードのリングポートのうち、特定のスイッチと接続されているリングポートを通信可能な状態とし、他のスイッチと接続されているリングポートを通信不可能な状態とすることで、環状のネットワークにおけるフレームのループを抑制している。図１の例では、スイッチ＃１のリングポートのうち、仮想回線ＬＮＡを介してスイッチ＃２と接続されているリングポートを通信不可能な論理ブロック状態ＢＫとしている。このため、図１の例では、例えば、スイッチ＃１からスイッチ＃２宛てのフレームは、「スイッチ＃１−スイッチ＃４−スイッチ＃３−スイッチ＃２」という経路を用いて中継される。なお、通信可能な状態とされたリングポートを「プライマリポート」、通信不可能な状態（論理ブロック状態ＢＫ）とされたリングポートを「セカンダリポート」とも呼ぶ。また、プライマリポートは、特許請求の範囲における「第１の方向に接続されたポート」に相当し、セカンダリポートは、特許請求の範囲における「第２の方向に接続されたポート」に相当する。
【手続補正３】
【補正対象書類名】明細書
【補正対象項目名】００３７
【補正方法】変更
【補正の内容】
【００３７】
スイッチ＃１がヘルスチェックフレームを受信しない状態が、予め設定された障害検出時間継続した場合、スイッチ＃１は、他の物理回線ＬＮＡ２〜４には障害が発生していないにもかかわらず、仮想回線ＬＮＡ全体として障害が発生したと誤検出してしまう。障害が発生したと誤検出したスイッチ＃１は、論理ブロック状態ＢＫのリングポートを通信可能な状態へ変更し、スイッチ＃２〜＃４にフラッシュ制御フレームを送信する。その後、スイッチ＃１〜＃４は、経路再学習処理を行う。このように比較例（従来例）では、マスタノードであるスイッチによる障害の誤検出に伴って、不要な経路再学習処理の発生、および、論理ブロック状態ＢＫの解除に伴うデータフレームのループ発生といった問題が生じる。また、経路再学習処理では、各スイッチによるフラッディングが行われるため、ネットワーク負荷が不要に増大するといった問題も生じる。
【手続補正４】
【補正対象書類名】明細書
【補正対象項目名】００４９
【補正方法】変更
【補正の内容】
【００４９】
ＬＡ受信制御部２１０は、フレーム識別部３２０よりフレームを受信した際に、フレームのヘッダ情報を更新後、当該フレームをフレーム中継部３００へ送信する。具体的には、ＬＡ受信制御部２１０は、ＬＡ管理テーブル２２０を検索して、フレームを受信した物理ポート５１０に割り当てられているＬＡＩＤを参照し、フレームのヘッダ情報に当該ＬＡＩＤを追加する。ＬＡ送信制御部２３０は、フレーム識別部３１０よりフレームを受信した際に、フレームのヘッダ情報を更新後、当該フレームを物理回線制御部５００へ送信する。具体的には、ＬＡ送信制御部２３０は、ＬＡ管理テーブル２４０を検索して、フレームのヘッダ情報に含まれるＬＡＩＤが割り当てられている物理ポート５１０を参照し、フレームのヘッダ情報に物理ポート５１０の番号を追加する。
【手続補正５】
【補正対象書類名】明細書
【補正対象項目名】００９６
【補正方法】変更
【補正の内容】
【００９６】
以上のように、２回目以降のヘルスチェックフレームの送信が行われる時刻ｔ２では、プライマリポートからのヘルスチェックフレームＨＣＢ２の送信と、セカンダリポートからのヘルスチェックフレームＨＣＦ２の送信とは、共に、送信フラグｏｎの物理ポート＋１（すなわち、前回ヘルスチェックフレームの送信が行われたポートの次の番号）の物理ポート番号を有するポートを用いて行われる。この結果、スイッチ間の２回目以降のヘルスチェックフレームの送受信についても、仮想回線を構成する物理回線のうちの異なる物理回線を用いて行うことができる。
【手続補正６】
【補正対象書類名】明細書
【補正対象項目名】０１０３
【補正方法】変更
【補正の内容】
【０１０３】
スイッチ＃１のセカンダリポートからのヘルスチェックフレームＨＣＦ３の送信は、時刻ｔ２（図１５）と同様の手順で行うことができる。従って、ヘルスチェックフレームＨＣＦ３は、送信フラグｏｎの物理ポート＋１、すなわち、前回（時刻ｔ２、図１５）ヘルスチェックフレームの送信が行われたポート１１の次の物理ポート番号を有するポート１２から、物理回線ＬＮＡ４を用いて送信される。
【手続補正７】
【補正対象書類名】明細書
【補正対象項目名】０１１０
【補正方法】変更
【補正の内容】
【０１１０】
ヘルスチェックフレームＨＣＢ３を受信したヘルスチェック受信制御部４１０は、ヘルスチェックフレーム受信処理（図１１）を実行する。具体的には、ヘルスチェック受信制御部４１０は、受信フレームのヘッダ情報をもとにして、ヘルスチェックフレームＨＣＢ３の受信ポート（物理ポート番号１２）を特定する（ステップＳ２０２）。そして、ヘルスチェック受信制御部４１０は、受信ポートの送信フラグ判定を行う（ステップＳ２０４）。スイッチ＃１の時刻ｔ４におけるヘルスチェック送受信管理テーブル４２０によれば、受信ポートである物理ポート番号１２のエントリＥ１４の送信フラグの値はｏｎである（ステップＳ２０４：ｏｎ）。このため、ヘルスチェック受信制御部４１０は、当該エントリＥ１４の受信フラグの値を「ｏｆｆからｏｎ」へと更新し（ステップＳ２０６）、受信フレームをフレーム中継部３００へ転送する（ステップＳ２０８）。
【手続補正８】
【補正対象書類名】明細書
【補正対象項目名】０１３２
【補正方法】変更
【補正の内容】
【０１３２】
（Ｃ−６）動作：
第２実施例におけるスイッチ１０ａが用いられた第２実施例のネットワーク１０００において、ヘルスチェックフレームの送受信が行われる様子を説明する。なお、説明に用いる図の構成等は、原則的に第１実施例と同様であり、以下では、第１実施例と異なる部分について説明する。
【手続補正９】
【補正対象書類名】明細書
【補正対象項目名】０１３３
【補正方法】変更
【補正の内容】
【０１３３】
（Ｃ−６−１）時刻ｔ１（障害発生前１）：
図２１は、第２実施例のネットワーク１０００においてヘルスチェックフレームの送受信が開始される様子を示す説明図である。
【手続補正１０】
【補正対象書類名】明細書
【補正対象項目名】０１３５
【補正方法】変更
【補正の内容】
【０１３５】
スイッチ＃１のリング管理部１００により生成されたヘルスチェックフレームＨＣＦ１を受信したヘルスチェック送信制御部４３０ａは、ヘルスチェックフレーム送信処理（図２０）を行う。ヘルスチェック送信制御部４３０ａは、ステップＳ３０２〜Ｓ３０６の処理を経て、優先ポート判定を行う（ステップＳ３０８）。ヘルスチェック送受信管理テーブル４２０には、リングＩＤ１０、ＬＡＩＤ１の優先ポート情報の値はｓｅｃｏｎｄａｒｙとされているため（ステップＳ３０８：ｓｅｃｏｎｄａｒｙ）、ヘルスチェック送信制御部４３０ａは、最老番の物理ポート番号、すなわち、物理ポート番号１２を選択する（ステップＳ５０２）。ヘルスチェック送受信管理テーブル４２０のエントリＥ１４より、選択した物理ポート１２の物理ポート状態は「Ｕｐ」であるため（ステップＳ３１４：Ｕｐ）、ヘルスチェック送信制御部４３０ａは、ステップＳ３１８、Ｓ３２０の処理を継続する。従って、ヘルスチェックフレームＨＣＦ１は、物理ポート番号１２のポートから物理回線ＬＮＡ４を用いて、スイッチ＃２へ送信される。
【手続補正１１】
【補正対象書類名】明細書
【補正対象項目名】０１３７
【補正方法】変更
【補正の内容】
【０１３７】
（Ｃ−６−２）時刻ｔ２（障害発生前２）：
図２２は、第２実施例のネットワーク１０００において２回目のヘルスチェックフレームの送受信が行われる様子を示す説明図である。
【手続補正１２】
【補正対象書類名】明細書
【補正対象項目名】０１４１
【補正方法】変更
【補正の内容】
【０１４１】
（Ｃ−６−３）時刻ｔ３（障害発生前３）：
図２３は、第２実施例のネットワーク１０００において３回目のヘルスチェックフレームの送受信が行われる様子を示す説明図である。
【手続補正１３】
【補正対象書類名】明細書
【補正対象項目名】０１４２
【補正方法】変更
【補正の内容】
【０１４２】
図２３の時刻ｔ３において、スイッチ＃１のセカンダリポートから、スイッチ＃２に対して、リングＩＤ１０のヘルスチェックフレームＨＣＦ３が送信される処理の手順は、第２実施例の時刻ｔ２（図２２）と同様である。従って、ヘルスチェックフレームＨＣＦ３は、物理ポート番号１０のポートから物理回線ＬＮＡ２を用いて、スイッチ＃２へ送信される。
【手続補正１４】
【補正対象書類名】明細書
【補正対象項目名】０１４４
【補正方法】変更
【補正の内容】
【０１４４】
（Ｃ−６−４）時刻ｔ４（障害発生時）：
図２４は、第２実施例のネットワーク１０００において障害が発生した際の様子を示す説明図である。図２４に示すように、ある時刻ｔ４において、仮想回線ＬＮＡを構成する一部の物理回線（ここでは、物理回線ＬＮＡ１とする）に障害が発生した場合の処理の手順は、第１実施例の時刻ｔ３（図１６）と同様である。従って、スイッチ＃１のヘルスチェック送受信管理テーブル４２０のうち、障害が発生した物理ポートに該当するエントリＥ１１の、物理ポート状態の値は「ＵｐからＤｏｗｎ」へ更新される（図１３、ステップＳ４０８）。同様に、スイッチ＃２のヘルスチェック送受信管理テーブル４２０ｐのうち、障害が発生した物理ポートに該当するエントリＥ２１の物理ポート状態の値は「ＵｐからＤｏｗｎ」へ更新される（図１３、ステップＳ４０８）。
【手続補正１５】
【補正対象書類名】明細書
【補正対象項目名】０１４５
【補正方法】変更
【補正の内容】
【０１４５】
（Ｃ−６−５）時刻ｔ５（障害発生後１）：
図２５は、第２実施例のネットワーク１０００の障害発生後においてヘルスチェックフレームの送受信ポートが同一となる様子を示す説明図である。
【手続補正１６】
【補正対象書類名】明細書
【補正対象項目名】０１４６
【補正方法】変更
【補正の内容】
【０１４６】
図２５の時刻ｔ５において、スイッチ＃１のセカンダリポートから、スイッチ＃２に対して、リングＩＤ１０のヘルスチェックフレームＨＣＦ４が送信される様子について説明する。
【手続補正１７】
【補正対象書類名】明細書
【補正対象項目名】０１４７
【補正方法】変更
【補正の内容】
【０１４７】
スイッチ＃１のセカンダリポートからのヘルスチェックフレームＨＣＦ４の送信は、時刻ｔ２（図２２）と同様の手順で行うことはできない。これは、送信フラグｏｎの物理ポート−１、すなわち、前回（時刻ｔ３、図２３）ヘルスチェックフレームの送信が行われたポート１０の前の物理ポート番号を有するポート９は、通信不可能な状態であることに起因する。
【手続補正１８】
【補正対象書類名】明細書
【補正対象項目名】０１４８
【補正方法】変更
【補正の内容】
【０１４８】
ヘルスチェックフレーム送信処理（図２０）において、ヘルスチェック送信制御部４３０ａは、ステップＳ３０２〜Ｓ３０６、Ｓ３２２、Ｓ５０８の処理を経て、一旦、送信フラグｏｎの物理ポート−１の物理ポート番号、すなわち、物理ポート番号９を選択する（ステップＳ５０８）。その後、ヘルスチェック送信制御部４３０ａは、選択した物理ポート番号９についての物理ポート状態判定を行う（ステップＳ３１４）。ヘルスチェック送受信管理テーブル４２０のエントリＥ１１によれば、スイッチ＃１の物理ポート番号９の物理ポート状態の値はＤｏｗｎである（ステップＳ３１４：Ｄｏｗｎ）。
【手続補正１９】
【補正対象書類名】明細書
【補正対象項目名】０１５１
【補正方法】変更
【補正の内容】
【０１５１】
以上のように、第２実施例においても、ネットワーク１０００の障害発生後に、プライマリポートからのヘルスチェックフレームＨＣＢ４と、セカンダリポートからのヘルスチェックフレームＨＣＦ４とが、仮想回線を構成する物理回線のうちの同一の物理回線を用いて行われる場合が生じる。これは、１つのスイッチに着眼すれば、ヘルスチェックフレームの送受信ポートが同一となる状態が発生していることとなる。
【手続補正２０】
【補正対象書類名】明細書
【補正対象項目名】０１５３
【補正方法】変更
【補正の内容】
【０１５３】
（Ｃ−６−６）時刻ｔ６（障害発生後２）：
図２６は、第２実施例のネットワーク１０００の障害発生後においてヘルスチェックフレームの送受信ポートが同一となる状態を回避する様子を示す説明図である。
【手続補正２１】
【補正対象書類名】明細書
【補正対象項目名】０１５４
【補正方法】変更
【補正の内容】
【０１５４】
図２６の時刻ｔ６において、スイッチ＃１のセカンダリポートから、スイッチ＃２に対して、リングＩＤ１０のヘルスチェックフレームＨＣＦ５が送信される処理の手順は、第２実施例の時刻ｔ２（図２２）と同様である。従って、ヘルスチェックフレームＨＣＦ５は、物理ポート番号１１のポートから物理回線ＬＮＡ３を用いて、スイッチ＃２へ送信される。
【手続補正２２】
【補正対象書類名】明細書
【補正対象項目名】０１５６
【補正方法】変更
【補正の内容】
【０１５６】
スイッチ＃２のプライマリポートからのヘルスチェックフレームＨＣＢ５の送信は、第２実施例の時刻ｔ２（図２２）と同様の手順で行うことはできない。これは、送信フラグｏｎの物理ポート＋１、すなわち、前回（時刻ｔ５、図２５）ヘルスチェックフレームの送信が行われたポート１２ｐの次の物理ポート番号を有するポート９ｐは、通信不可能な状態であることに起因する。
【手続補正２３】
【補正対象書類名】明細書
【補正対象項目名】０１５７
【補正方法】変更
【補正の内容】
【０１５７】
ヘルスチェックフレーム送信処理（図２０）において、ヘルスチェック送信制御部４３０ａｐは、ステップＳ３０２〜Ｓ３０６、Ｓ３２２、Ｓ３２６の処理を経て、一旦、送信フラグｏｎの物理ポート＋１の物理ポート番号、すなわち、物理ポート番号９ｐを選択する（ステップＳ３２６）。その後、ヘルスチェック送信制御部４３０ａｐは、選択した物理ポート番号９ｐについての物理ポート状態判定を行う（ステップＳ３１４）。ヘルスチェック送受信管理テーブル４２０ｐのエントリＥ２１によれば、スイッチ＃２の物理ポート９ｐの物理ポート状態の値はＤｏｗｎである（ステップＳ３１４：Ｄｏｗｎ）。
【手続補正２４】
【補正対象書類名】明細書
【補正対象項目名】０１５８
【補正方法】変更
【補正の内容】
【０１５８】
また、優先ポート情報の値は「ｐｒｉｍａｒｙ」である（ステップＳ５０４：ｐｒｉｍａｒｙ）。このため、ヘルスチェック送信制御部４３０ａｐは、選択ポート＋１の物理ポート番号、すなわち、選択中の物理ポート番号９ｐの次の物理ポート番号１０ｐを再選択する（ステップＳ３１６）。そして、ヘルスチェック送信制御部４３０ａｐは、ステップＳ３１４、Ｓ３１８、Ｓ３２０の処理を継続する。この結果、ヘルスチェックフレームＨＣＢ５は、ステップＳ３１６によって再選択された物理ポート番号を有するポート１０ｐから、物理回線ＬＮＡ２を用いて送信される。
【手続補正２５】
【補正対象書類名】明細書
【補正対象項目名】０１７６
【補正方法】変更
【補正の内容】
【０１７６】
選択された物理ポートがＵｐポートの奇数番目である場合（ステップＳ７０８：奇数番目）、ヘルスチェックフレーム制御部４００ｂは、ＬＡ単位での優先ポート判定を行う（ステップＳ７１０）。具体的には、ヘルスチェックフレーム制御部４００ｂは、選択された物理ポートが属するＬＡＩＤの優先ポート情報がｐｒｉｍａｒｙ、ｓｅｃｏｎｄａｒｙのどちらであるかを判定する。優先ポート情報の値が「ｐｒｉｍａｒｙ」である場合（ステップＳ７１０：ｐｒｉｍａｒｙ）、ヘルスチェックフレーム制御部４００ｂは、選択された物理ポートに対して、当該エントリの優先ポート情報の値を「ｐｒｉｍａｒｙ」へと更新し、処理をステップＳ７１８へ遷移させる（ステップＳ７１２）。一方、優先ポート情報の値が「ｓｅｃｏｎｄａｒｙ」である場合（ステップＳ７１０：ｓｅｃｏｎｄａｒｙ）、ヘルスチェックフレーム制御部４００ｂは、処理をステップＳ７０６へ遷移させ、選択された物理ポートに対して、当該エントリの優先ポート情報の値を「ＮＯＴ」へ更新する。
【手続補正２６】
【補正対象書類名】明細書
【補正対象項目名】０１８０
【補正方法】変更
【補正の内容】
【０１８０】
Ｕｐポートが１つだけしかない場合（ステップＳ７２０：ＹＥＳ）、ヘルスチェックフレーム制御部４００ｂは、当該Ｕｐポートの優先ポート判定を行う（ステップＳ７２２）。具体的には、ヘルスチェックフレーム制御部４００ｂは、Ｕｐポートのエントリの優先ポート情報の値を参照する。優先ポート情報の値が「ｐｒｉｍａｒｙ」である場合（ステップＳ７２２：ｐｒｉｍａｒｙ）、ヘルスチェックフレーム制御部４００ｂは処理を終了させる。一方、優先ポート情報の値が「ＮＯＴ」である場合（ステップＳ７２２：ＮＯＴ）、ヘルスチェックフレーム制御部４００ｂは、当該エントリの優先ポート情報の値を「ｓｅｃｏｎｄａｒｙ」へと更新し、処理を終了させる（ステップＳ７２４）。
【手続補正２７】
【補正対象書類名】明細書
【補正対象項目名】０１８１
【補正方法】変更
【補正の内容】
【０１８１】
（Ｄ−６）動作：
第３実施例におけるスイッチ１０ｂが用いられたネットワーク１０００において、ヘルスチェックフレームの送受信が行われる様子を説明する。なお、説明に用いる図の構成等は、原則的に第１実施例と同様であり、以下では、第１実施例と異なる部分について説明する。
【手続補正２８】
【補正対象書類名】明細書
【補正対象項目名】０１８２
【補正方法】変更
【補正の内容】
【０１８２】
（Ｄ−６−１）時刻ｔ１（障害発生前１）：
図３１は、第３実施例のネットワーク１０００においてヘルスチェックフレームの送受信が開始される様子を示す説明図である。
【手続補正２９】
【補正対象書類名】明細書
【補正対象項目名】０１８７
【補正方法】変更
【補正の内容】
【０１８７】
（Ｄ−６−２）時刻ｔ２（障害発生前２）：
図３２は、第３実施例のネットワーク１０００において２回目のヘルスチェックフレームの送受信が行われる様子を示す説明図である。
【手続補正３０】
【補正対象書類名】明細書
【補正対象項目名】０１９０
【補正方法】変更
【補正の内容】
【０１９０】
（Ｄ−６−３）時刻ｔ３（障害発生時）：
図３３は、第３実施例のネットワーク１０００において障害が発生した際の様子を示す説明図である。図３３に示すように、ある時刻ｔ３において、仮想回線ＬＮＡを構成する一部の物理回線（ここでは、物理回線ＬＮＡ２とする）に障害が発生した場合の処理の様子について説明する。
【手続補正３１】
【補正対象書類名】明細書
【補正対象項目名】０１９８
【補正方法】変更
【補正の内容】
【０１９８】
以上の結果、物理回線に障害が発生した場合、ヘルスチェックフレーム制御部４００ｂは、障害が発生した物理回線を有するＬＡＩＤに属する全ての物理回線について、ヘルスチェック送受信管理テーブル４２０ｂの優先ポート情報の値を付与し直す。具体的には、スイッチ１０ｂのヘルスチェック送受信管理テーブル４２０ｂは、障害発生後、障害が発生した物理回線に接続されている優先ポート情報の値に「ＮＯＴ」が付与される。このため、障害が発生した物理回線は、その後、ヘルスチェックフレームの送信には用いられなくなる。
【手続補正３２】
【補正対象書類名】明細書
【補正対象項目名】０１９９
【補正方法】変更
【補正の内容】
【０１９９】
（Ｄ−６−４）時刻ｔ４（障害発生後１）：
図３４は、第３実施例のネットワーク１０００の障害発生後において、ヘルスチェックフレームの送受信が開始される様子を示す説明図である。
【手続補正３３】
【補正対象書類名】明細書
【補正対象項目名】０２０４
【補正方法】変更
【補正の内容】
【０２０４】
スイッチ＃２が他のトランジットノードから受信したヘルスチェックフレームＨＣＢ３を受信したヘルスチェック送信制御部４３０ｂｐは、ヘルスチェックフレーム送信処理（図２９）を行う。ヘルスチェック送信制御部４３０ｂｐは、ステップＳ３０２、Ｓ３０４の処理を経て、送信フラグ判定を行う（ステップＳ３０６）。スイッチ＃２の時刻ｔ４におけるヘルスチェック送受信管理テーブル４２０ｂｐのエントリＥ２１〜Ｅ２４によれば、リングＩＤ１０、ＬＡＩＤ１の送信フラグの値にｏｎのあるエントリＥ２３が存在するため（ステップＳ３０６：ｏｎあり）、ヘルスチェック送信制御部４３０ｂｐは、送信フラグｏｎの物理ポート＋１の物理ポート番号、すなわち、物理ポート番号１２ｐを選択する（ステップＳ３２６）。その後、ヘルスチェック送信制御部４３０ｂｐは、選択した物理ポート番号１２ｐについての優先ポート判定を行う（ステップＳ６０８）。ヘルスチェック送受信管理テーブル４２０ｂｐのエントリＥ２４によれば、物理ポート番号１２ｐの優先ポート情報の値はｐｒｉｍａｒｙである（ステップＳ６０８：ＮＯＴでない）。このため、ヘルスチェック送信制御部４３０ｂｐは、ステップＳ３１８、Ｓ３２０の処理を継続する。この結果、ヘルスチェックフレームＨＣＢ３は、ステップＳ３２６によって選択された物理ポート番号を有するポート１２ｐから、物理回線ＬＮＡ４を用いて送信される。
【手続補正３４】
【補正対象書類名】明細書
【補正対象項目名】０２０５
【補正方法】変更
【補正の内容】
【０２０５】
（Ｄ−６−５）時刻ｔ５（障害発生後２）：
図３５は、第３実施例のネットワーク１０００の障害発生後において、ヘルスチェックフレームの送受信が継続される様子を示す説明図である。
【手続補正３５】
【補正対象書類名】明細書
【補正対象項目名】０２１９
【補正方法】変更
【補正の内容】
【０２１９】
ステップＳ３１４の物理ポート状態判定において、物理ポート状態の値が、通信不可能であることを示す「Ｄｏｗｎ」である場合（ステップＳ３１４：Ｄｏｗｎ）、ヘルスチェック送信制御部４３０ｃは、優先ポート判定を行う（ステップＳ８０２）。具体的には、ヘルスチェック送信制御部４３０ｃは、選択された物理ポート番号をキーとしてヘルスチェック送受信管理テーブル４２０を検索し、一致するエントリの優先ポート情報の値を参照する。優先ポート情報の値が「ｐｒｉｍａｒｙ」である場合（ステップＳ８０２：ｐｒｉｍａｒｙ）、ヘルスチェック送信制御部４３０ｃは、処理をステップＳ３１６へ遷移させ、選択ポート＋１の物理ポート番号を再選択する。詳細は図１２で説明した通りである。一方、優先ポート情報の値が「ｓｅｃｏｎｄａｒｙ」である場合（ステップＳ８０２：ｓｅｃｏｎｄａｒｙ）、ヘルスチェック送信制御部４３０ｃは、選択ポート−１の物理ポート番号を再選択する（ステップＳ８０４）。具体的には、ヘルスチェック送信制御部４３０ｃは、ＬＡＩＤから特定されたエントリ（ステップＳ３０６の検索結果）を物理ポート番号で昇順にソートし、選択中の物理ポート番号の１つ前の番号となる物理ポート番号を再選択し、処理をステップＳ３１４へ遷移させる。
【手続補正３６】
【補正対象書類名】明細書
【補正対象項目名】０２２２
【補正方法】変更
【補正の内容】
【０２２２】
（Ｅ−６）動作：
第４実施例におけるスイッチ１０ｃが用いられたネットワーク１０００において、ヘルスチェックフレームの送受信が行われる様子を説明する。なお、説明に用いる図の構成等は、原則的に第１実施例と同様であり、以下では、第１実施例と異なる部分について説明する。
【手続補正３７】
【補正対象書類名】明細書
【補正対象項目名】０２２３
【補正方法】変更
【補正の内容】
【０２２３】
（Ｅ−６−１）時刻ｔ１（障害発生前１）：
図３９は、第４実施例のネットワーク１０００においてヘルスチェックフレームの送受信が開始される様子を示す説明図である。
【手続補正３８】
【補正対象書類名】明細書
【補正対象項目名】０２３０
【補正方法】変更
【補正の内容】
【０２３０】
（Ｅ−６−２）時刻ｔ２（障害発生前２）：
図４０は、第４実施例のネットワーク１０００において２回目のヘルスチェックフレームの送受信が行われる様子を示す説明図である。
【手続補正３９】
【補正対象書類名】明細書
【補正対象項目名】０２３４
【補正方法】変更
【補正の内容】
【０２３４】
（Ｅ−６−３）時刻ｔ３（障害発生時）：
図４１は、第４実施例のネットワーク１０００において障害が発生した際の様子を示す説明図である。図４１に示すように、ある時刻ｔ３において、仮想回線ＬＮＡを構成する一部の物理回線（ここでは、物理回線ＬＮＡ２とする）に障害が発生した場合の処理の手順は、第１実施例の時刻ｔ３（図１６）と同様である。従って、スイッチ＃１のヘルスチェック送受信管理テーブル４２０のうち、障害が発生した物理ポートに該当するエントリＥ１２の、物理ポート状態の値は「ＵｐからＤｏｗｎ」へ更新される（図１３、ステップＳ４０８）。同様に、スイッチ＃２のヘルスチェック送受信管理テーブル４２０ｐのうち、障害が発生した物理ポートに該当するエントリＥ２２の物理ポート状態の値は「ＵｐからＤｏｗｎ」へ更新される（図１３、ステップＳ４０８）。
【手続補正４０】
【補正対象書類名】明細書
【補正対象項目名】０２３５
【補正方法】変更
【補正の内容】
【０２３５】
（Ｅ−６−４）時刻ｔ４（障害発生後１）：
図４２は、第４実施例のネットワーク１０００の障害発生後において、ヘルスチェックフレームの送受信が開始される様子を示す説明図である。
【手続補正４１】
【補正対象書類名】明細書
【補正対象項目名】０２３９
【補正方法】変更
【補正の内容】
【０２３９】
（Ｅ−６−５）時刻ｔ５（障害発生後２）：
図４３は、第４実施例のネットワーク１０００の障害発生後において、ヘルスチェックフレームの送受信が継続される様子を示す説明図である。
【手続補正４２】
【補正対象書類名】図面
【補正対象項目名】図６
【補正方法】変更
【補正の内容】
【図６】
2013021530.tif 000001
【手続補正４３】
【補正対象書類名】図面
【補正対象項目名】図２９
【補正方法】変更
【補正の内容】
【図２９】
2013021530.tif 000002